(57)【要約】  パネルインターロック構造は、第１のパネル（１４６）と第２のパネル（１４８）を重畳関係で互いに固着する。この構造は、第１のパネル内に形成された雌固定タブ（Ｆ）および第２のパネル内に形成された雄固定タブ（Ｍ）を含む。雌固定タブは、雄固定タブおよび雌固定タブの両方を受け取るための第１の開口（Ｏ）を第１のパネル内に画定するために変位させることができる。雌固定タブは、雌固定タブを第１のパネルに接続するためのネック部分（２２０）、および折込み線（２２８）によってネック部分に折込み可能に接続されたヘッド部分（２２２、２２４）を含む。雄固定タブは、雌固定タブを受け取るための第２の開口を第２のパネル内に画定するために変位させることができる。
2014514219.tif 000002
【特許請求の範囲】
【請求項１】
重畳関係で配置された一対の第１のパネルおよび第２のパネルと、
互いに協働して前記第１のパネルおよび前記第２のパネルを前記重畳関係で互いに固着する一対の雄固定タブおよび雌固定タブと、
を備えるパネルインターロック構造であって、
前記雌固定タブは、前記第１のパネルから打ち出されており、また、前記雌固定タブが前記第１のパネルの平面外に折り込まれると第１の開口が前記第１のパネル内に画定されるよう、その近位端縁で前記第１のパネルに折込み可能に接続され、
前記雌固定タブは、ネック部分および折込み線によって前記ネック部分にヒンジ接続されたヘッド部分を含み、前記ネック部分が前記折込み線と前記雌固定タブの前記近位端縁との間に延在し、前記ヘッド部分が前記折込み線と前記雌固定タブの遠位端縁との間に延在し、
前記雄固定タブは、前記第２のパネルから打ち出され、また、前記雄固定タブが前記第２のパネルの平面外に折り込まれると第２の開口が前記第２のパネル内に画定されるよう、その近位端縁で前記第２のパネルに折込み可能に接続され、前記雄固定タブの前記近位端縁が前記第２のパネルの自由縁に対して実質的に平行に配置され、それらの間に前記第２の開口が位置し、
前記第１のパネルおよび前記第２のパネルは、前記第１の開口および前記第２の開口が実質的に整列し、かつ、前記第２のパネルのその前記自由縁に沿った部分が前記第１の開口と前記雌固定タブの前記ネック部分との間に配置されるように配置され、
前記雄固定タブは前記第２のパネルの平面外に折り込まれ、かつ、折込み位置を取るために前記第１のパネルの前記第１の開口内に受け取られ、
前記雌固定タブは、前記雌固定タブの前記ヘッド部分が前記第１の開口および前記第２の開口内に受け取られ、かつ、前記ヘッド部分が前記雄固定タブと相互ブレーシング係合し、それにより前記雄固定タブおよび前記雌固定タブがそれぞれ折込み位置および保持位置に保持される保持位置に配置されるよう、前記折込み線に沿って折り込まれる、パネルインターロック構造。
【請求項２】
前記雌固定タブの前記遠位端縁がその前記近位端縁の反対側であり、
前記雄固定タブが、前記雄固定タブの前記近位端縁とは反対側に遠位端縁を有し、
前記雄固定タブおよび雌固定タブの前記遠位端縁が前記第１のパネルの一方の面に配置される、請求項１に記載のパネルインターロック構造。
【請求項３】
前記第２のパネルの前記自由縁が、前記第２のパネルの前記自由縁と前記雌固定タブの前記近位端縁が実質的に整列するよう、前記雌固定タブに当接して配置される、請求項１に記載のパネルインターロック構造。
【請求項４】
前記第２のパネルのその前記自由縁に沿った部分が、前記第２の開口と前記第２のパネルの前記自由縁との間の一部を備える、請求項１に記載のパネルインターロック構造。
【請求項５】
前記第１のパネルの前記第１の開口は、前記雌固定タブの前記近位端縁が折込み可能に接続される内部端を有し、
前記折込み位置に位置している前記雄固定タブは、前記第１の開口のその前記内部端とは反対側の外部端と係合する、請求項１に記載のパネルインターロック構造。
【請求項６】
前記第２のパネルの前記第２の開口は、前記雄固定タブの前記近位端縁が折込み可能に接続される内部端を有し、
前記保持位置に位置している前記雌固定タブの前記ヘッド部分は、前記第２の開口のその前記内部端とは反対側の外部端と係合する、請求項１に記載のパネルインターロック構造。
【請求項７】
前記保持位置に位置している前記雌固定タブの前記ヘッド部分が前記雄固定タブに寄りかかって支える、請求項２に記載のパネルインターロック構造。
【請求項８】
前記雄固定タブが前記雌固定タブの前記ヘッド部分の前記遠位端縁にもたれ掛かる、請求項７に記載のパネルインターロック構造。
【請求項９】
前記折込み位置に位置している前記雄固定タブが前記雌固定タブの前記ヘッド部分に寄りかかって支える、請求項２に記載のパネルインターロック構造。
【請求項１０】
前記雌固定タブの前記ヘッド部分が前記雄固定タブの前記遠位端縁にもたれ掛かる、請求項９に記載のパネルインターロック構造。
【請求項１１】
前記雄固定タブおよび雌固定タブのうちの少なくとも一方は、前記雄固定タブおよび雌固定タブのうちの少なくとも一方の残りの部分より実質的に広い肩部分を備える、請求項１に記載のパネルインターロック構造。
【請求項１２】
前記雄固定タブおよび雌固定タブのうちの一方が、前記雄固定タブおよび雌固定タブのうちの一方の前記遠位端縁から突出している拡張タブを備え、
前記雄固定タブおよび雌固定タブのうちのもう一方の固定タブが、前記拡張タブを受け取るための相補切欠き部分を備える、請求項２に記載のパネルインターロック構造。
【請求項１３】
パネルインターロック構造を形成するためのブランクであって、
前記パネルインターロック構造が形成されると重畳関係で配置されることになる一対の第１のパネルおよび第２のパネルと、
互いに協働して前記第１のパネルおよび前記第２のパネルを前記重畳関係で互いに固着する一対の雄固定タブおよび雌固定タブと、
を備えているブランクにおいて、
前記雌固定タブは、前記第１のパネルから打ち出され、また、前記雌固定タブが前記第１のパネルの平面外に折り込まれると、前記雄固定タブおよび前記雌固定タブの両方を受け取るための第１の開口が前記第１のパネル内に画定されるよう、その近位端縁で前記第１のパネルに折込み可能に接続され、
前記雌固定タブは、ネック部分および折込み線によって前記ネック部分にヒンジ接続されたヘッド部分を含み、前記ネック部分が前記折込み線と前記雌固定タブの前記近位端縁との間に延在し、前記ヘッド部分が前記折込み線と前記雌固定タブの遠位端縁との間に延在し、
前記雄固定タブは、前記第２のパネルから打ち出され、また、前記雄固定タブが前記第２のパネルの平面外に折り込まれると、前記雌固定タブを受け取るための第２の開口が前記第２のパネル内に画定されるよう、その近位端縁で前記第２のパネルに折込み可能に接続され、
前記雄固定タブの前記近位端縁は前記第２のパネルの自由縁に対して実質的に平行に配置され、それらの間に前記第２の開口が位置する、ブランク。
【請求項１４】
前記雄固定タブおよび前記雌固定タブのうちの少なくとも一方は、前記雄固定タブおよび前記雌固定タブのうちの少なくとも一方の残りの部分より実質的に広い肩部分を備える、請求項１３に記載のブランク。
【請求項１５】
前記雄固定タブおよび前記雌固定タブのうちの一方が、前記雄固定タブおよび前記雌固定タブのうちの一方の遠位端縁から突出している拡張タブを備え、
前記雄固定タブおよび前記雌固定タブのうちのもう一方の固定タブが、前記拡張タブを受け取るための相補切欠き部分を備える、請求項１３に記載のブランク。
【請求項１６】
重畳関係で配置された一対の第１のパネルおよび第２のパネルと、
互いに協働して前記第１のパネルおよび前記第２のパネルを前記重畳関係で互いに固着する一対の雄固定タブおよび雌固定タブと、
を備えるカートンであって、
前記雌固定タブは、前記第１のパネルから打ち出され、また、前記雌固定タブが前記第１のパネルの平面外に折り込まれると第１の開口が前記第１のパネル内に画定されるよう、その近位端縁で前記第１のパネルに折込み可能に接続され、
前記雌固定タブは、ネック部分および折込み線によって前記ネック部分にヒンジ接続されたヘッド部分を含み、前記ネック部分が前記折込み線と前記雌固定タブの前記近位端縁との間に延在し、前記ヘッド部分が前記折込み線と前記雌固定タブの遠位端縁との間に延在し、
前記雄固定タブは、前記第２のパネルから打ち出され、また、前記雄固定タブが前記第２のパネルの平面外に折り込まれると第２の開口が前記第２のパネル内に画定されるよう、その近位端縁で前記第２のパネルに折込み可能に接続され、
前記雄固定タブの前記近位端縁は前記第２のパネルの自由縁に対して実質的に平行に配置され、それらの間に前記第２の開口が位置し、
前記第１のパネルおよび前記第２のパネルは、前記第１の開口および前記第２の開口が実質的に整列し、かつ、前記第２のパネルのその前記自由縁に沿った部分が前記第１の開口と前記雌固定タブの前記ネック部分の間に配置されるように配置され、
前記雄固定タブは前記第２のパネルの平面外に折り込まれ、かつ、折込み位置を取るために前記第１のパネルの前記第１の開口内に受け取られ、
前記雌固定タブは、前記雌固定タブの前記ヘッド部分が前記第１の開口および前記第２の開口内に受け取られ、かつ、前記ヘッド部分が前記雄固定タブと相互ブレーシング係合し、それにより前記雄固定タブおよび雌固定タブがそれぞれ折込み位置および保持位置に保持される保持位置に配置されるよう、前記折込み線に沿って折り込まれる、カートン。
【請求項１７】
前記雌固定タブの前記遠位端縁はその前記近位端縁の反対側であり、
前記雄固定タブは、前記雄固定タブの前記近位端縁とは反対側に遠位端縁を有し、
前記雄固定タブおよび雌固定タブの前記遠位端縁は前記第１のパネルの一方の面に配置される、請求項１６に記載のカートン。
【請求項１８】
前記第２のパネルの前記自由縁は、前記第２のパネルの前記自由縁と前記雌固定タブの前記近位端縁が実質的に整列するよう、前記雌固定タブに当接して配置される、請求項１６に記載のカートン。
【請求項１９】
前記第１のパネルの前記第１の開口は、前記雌固定タブの前記近位端縁が折込み可能に接続される内部端を有し、
前記折込み位置に位置している前記雄固定タブは、前記第１の開口のその前記内部端とは反対側の外部端と係合する、請求項１６に記載のカートン。
【請求項２０】
前記第２のパネルの前記第２の開口は、前記雄固定タブの前記近位端縁が折込み可能に接続される内部端を有し、
前記保持位置に位置している前記雌固定タブの前記ヘッド部分は、前記第２の開口のその前記内部端とは反対側の外部端と係合する、請求項１６に記載のカートン。
【発明の詳細な説明】
【技術分野】
【０００１】
本発明は一般にカートンに関し、詳細には重畳構造で互いに固着されるパネル間の剛直接続を保証するためのパネルインターロック構造に関する。
【背景技術】
【０００２】
ラップアラウンドカートン（ｗｒａｐ−ａｒｏｕｎｄ  ｃａｒｔｏｎｓ）およびハンドパックトップロードカートン（ｈａｎｄ−ｐａｃｋ  ｔｏｐ  ｌｏａｄｅｄ  ｃａｒｔｏｎｓ）は知られており、複数の物品を保持し、貯蔵し、かつ、運ぶための有効で、魅力的で、かつ、便利な二次パッケージとして長く使用されている。例えばこのようなカートンは、複数の飲料容器をグループにして運び、かつ、視覚性および材料使用の経済性のためにこれらの飲料容器を露出するのに有用である。
【０００３】
ラップアラウンドカートンおよびトップロードカートンは、通常、トップグリップ方式であり、つまりハンドルコンポーネントを使用してそれらを上から持ち上げることができる。カートンの下部壁が通常、内容物の重量を補強なしに支えなければならないので、カートンはしばしば、重畳するパネルを機械的に互いに固定するインターロックアセンブリを含む。したがって、カートンのパネルは、底部壁の重畳するパネルの分離を防止するために、あるいはカートンを運搬している間の容器グループの望ましくない移動を防止するために、高い信頼性で確実に互いに固定しなければならない。
【０００４】
当分野では多くのパネルインターロック構造が実施されているが、それらのほとんどは重畳するパネル間の相対運動を完全には制限していない。実際、いくつかの構造は、重畳するパネル間に画定される仮想平面に沿って互いに離れる方向に移動するパネルの運動に関しては首尾よく制限しているが、仮想平面に沿って互いに向い合う方向に移動するパネルの運動、あるいは仮想平面に対して直角の方向に互いに離れる方向に移動するパネルの運動に関しては厳重に制限していないし、また、パネル間の横方向の運動も防止していない。
【発明の概要】
【発明が解決しようとする課題】
【０００５】
従来技術の欠点は、２つのパネルが重畳構造で互いに固着されるパネルインターロック構造を提供する本発明の様々な態様によって対処される。このパネルインターロック構造によれば、重畳したパネル間に画定される仮想平面に沿ったこれらの２つのパネルの互いに離れる方向の移動が制限され、仮想平面に沿ったこれらのパネルの互いに向い合う方向の移動が制限され、これらのパネルの互いに対する横方向の移動が制限され、かつ、これらのパネル間に画定される仮想平面に対して直角の方向におけるこれらのパネルの互いに離れる方向の移動が制限される点で、２つのパネル間の極めて剛直な接続が提供される。
【課題を解決するための手段】
【０００６】
詳細には、一態様における本発明によれば、重畳関係で配置された一対の第１のパネルおよび第２のパネルと、互いに協働して第１のパネルおよび第２のパネルを重畳関係で互いに固着する一対の雄固定タブおよび雌固定タブとを備えたパネルインターロック構造が提供される。雌固定タブは、第１のパネルから打ち出され、また、この雌固定タブが第１のパネルの平面外に折り込まれると第１の開口が第１のパネル内に画定されるよう、その近位端縁で第１のパネルに折込み可能に接続される。雌固定タブは、ネック部分および折込み線によって該ネック部分にヒンジ接続されたヘッド部分を含む。ネック部分は、折込み線と雌固定タブの近位端縁との間に延在し、一方、ヘッド部分は、折込み線と雌固定タブの遠位端縁との間に延在している。雄固定タブは、第２のパネルから打ち出され、また、この雄固定タブが第２のパネルの平面外に折り込まれると第２の開口が第２のパネル内に画定されるよう、その近位端縁で第２のパネルに折込み可能に接続されている。雄固定タブの近位端縁は、第２のパネルの自由縁に対して実質的に平行に配置されており、それらの間に第２の開口が位置している。第１のパネルおよび第２のパネルは、第１の開口および第２の開口が実質的に整列し、かつ、第２のパネルのその自由縁に沿った部分が第１の開口と雌固定タブのネック部分の間に配置されるように配置されている。雄固定タブは、第２のパネルの平面外に折り込まれ、かつ、折込み位置を取るために第１のパネルの第１の開口内に受け取られる。雌固定タブは、雌固定タブのヘッド部分が第１の開口および第２の開口内に受け取られ、かつ、ヘッド部分が雄固定タブと相互ブレーシング係合し、それにより雄固定タブおよび雌固定タブがそれぞれ折込み位置および保持位置に保持される保持位置に配置されるよう、折込み線に沿って折り込まれる。
【０００７】
好ましい一実施形態では、雄固定タブおよび雌固定タブの遠位端縁は、第１のパネルの一方の面に配置することができる。
【０００８】
他の好ましい実施形態では、第２のパネルの自由縁は、第２のパネルの自由縁と雌固定タブの近位端縁が実質的に整列するよう、雌固定タブに当接して配置することができる。
【０００９】
他の好ましい実施形態では、第２のパネルの該第２のパネルの自由縁に沿った部分は、第２の開口と第２のパネルの自由縁の間の一部を含むことができる。
【００１０】
さらに他の好ましい実施形態では、第１のパネルの第１の開口は、雌固定タブの近位端縁が折込み可能に接続される内部端を有することができ、また、折込み位置に位置している雄固定タブは、第１の開口の該第１の開口の内部端とは反対側の外部端と係合することができる。
【００１１】
さらに他の好ましい実施形態では、第２のパネルの第２の開口は、雄固定タブの近位端縁が折込み可能に接続される内部端を有することができ、また、保持位置に位置している雌固定タブのヘッド部分は、第２の開口の該第２の開口の内部端とは反対側の外部端と係合することができる。
【００１２】
さらに他の好ましい実施形態では、保持位置に位置している雌固定タブのヘッド部分は、雄固定タブに寄りかかって支えることができる。このような実施形態では、雄固定タブを雌固定タブのヘッド部分の遠位端縁にもたれさせることができる。
【００１３】
さらに他の好ましい実施形態では、折込み位置に位置している雄固定タブは、雌固定タブのヘッド部分に寄りかかって支えることができる。このような実施形態では、雌固定タブのヘッド部分を雄固定タブの遠位端縁にもたれさせることができる。
【００１４】
他の好ましい実施形態では、雄固定タブおよび雌固定タブのうちの少なくとも一方は、雄固定タブおよび雌固定タブのうちの少なくとも一方の残りの部分より実質的に広い肩部分を含むことができる。
【００１５】
さらに他の好ましい実施形態では、雄固定タブおよび雌固定タブのうちの一方は、その固定タブの遠位端縁から突出している拡張タブを含むことができ、また、もう一方の固定タブは、この拡張タブを受け取るための相補切欠き部分を備えることができる。
【００１６】
第２の態様における本発明によれば、パネルインターロック構造を形成するためのブランクが提供される。ブランクは、パネルインターロック構造が形成されると重畳関係で配置されることになる一対の第１のパネルおよび第２のパネルと、互いに協働して第１のパネルおよび第２のパネルを重畳関係で互いに固着する一対の雄固定タブおよび雌固定タブとを備えている。雌固定タブは、第１のパネルから打ち出され、また、この雌固定タブが第１のパネルの平面外に折り込まれると、雄固定タブおよび雌固定タブの両方を受け取るための第１の開口が第１のパネル内に画定されるよう、その近位端縁で第１のパネルに折込み可能に接続されている。雌固定タブは、ネック部分および折込み線によって該ネック部分にヒンジ接続されたヘッド部分を含む。ネック部分は、折込み線と雌固定タブの近位端縁との間に延在し、一方、ヘッド部分は、折込み線と雌固定タブの遠位端縁との間に延在している。雄固定タブは、第２のパネルから打ち出され、また、この雄固定タブが第２のパネルの平面外に折り込まれると、雌固定タブを受け取るための第２の開口が第２のパネル内に画定されるよう、その近位端縁で第２のパネルに折込み可能に接続されている。雄固定タブの近位端縁は、第２のパネルの自由縁に対して実質的に平行に配置され、それらの間に第２の開口が位置する。
【００１７】
第３の態様における本発明によれば、上で言及したパネルインターロック構造を含んだカートンが提供される。
【００１８】
以上、本発明の態様および特徴のいくつかについて、広範囲にわたってその概要を示したが、それらは本発明の様々な可能用途の単なる実例として解釈されたい。開示されている情報を異なる方法で適用することによって、あるいは開示されている実施形態を修正することによって他の有利な結果を得ることができる。したがって本発明の他の態様およびより包括的な理解は、特許請求の範囲に定義されている本発明の範囲に加えて、添付の図面に関連して行う例示的実施形態についての詳細な説明を参照することによって得ることができる。
【図面の簡単な説明】
【００１９】
【図１】本発明のパネルインターロック構造を含んだカートンを形成するための例示的ブランクの平面図である。
【図２】パネルインターロック構造の構成要素の拡大図である。
【図３】図１のブランクから形成された例示的カートンの斜視図である。
【図４】パネルインターロック構造を操作するための一例示的方法を示す部分拡大図である。
【図５】パネルインターロック構造を操作するための一例示的方法を示す部分拡大図である。
【図６】パネルインターロック構造を操作するための一例示的方法を示す部分拡大図である。
【図７】パネルインターロック構造を操作するための一例示的方法を示す部分拡大図である。
【図８】パネルインターロック構造を操作するための一例示的方法を示す部分拡大図である。
【図９】パネルインターロック構造を操作するための一例示的方法を示す部分拡大図である。
【図１０】パネルインターロック構造を操作するための一例示的方法を示す部分拡大図である。
【図１１】パネルインターロック構造を操作するための一例示的方法を示す部分拡大図である。
【図１２】パネルインターロック構造を操作するための一例示的方法を示す部分拡大図である。
【図１３】パネルインターロック構造を操作するための一例示的方法を示す部分拡大図である。
【図１４】パネルインターロック構造を操作するための一例示的方法を示す部分拡大図である。
【図１５】操作状態にあるパネルインターロック構造の部分拡大図である。
【図１６】カートンの底部パネルを互いに固着する本発明による２対の雄固定タブおよび雌固定タブを備えた図３のカートンの底面図である。
【図１７】パネルインターロック構造を操作するための他の例示的方法を示す部分拡大図である。
【図１８】パネルインターロック構造を操作するための他の例示的方法を示す部分拡大図である。
【図１９】パネルインターロック構造を操作するための他の例示的方法を示す部分拡大図である。
【図２０】パネルインターロック構造を操作するための他の例示的方法を示す部分拡大図である。
【図２１】パネルインターロック構造を操作するための他の例示的方法を示す部分拡大図である。
【図２２】パネルインターロック構造を操作するためのさらに他の例示的方法を示すための、図２のカートンの底部パネルの折込みを示す部分斜視図である。
【図２３】パネルインターロック構造を操作するためのさらに他の例示的方法を示すための、図２のカートンの底部パネルの折込みを示す部分斜視図である。
【図２４】パネルインターロック構造を操作するためのさらに他の例示的方法を示すための、図２のカートンの底部パネルの折込みを示す部分斜視図である。
【図２５】パネルインターロック構造を操作するためのさらに他の例示的方法を示すための、図２のカートンの底部パネルの折込みを示す部分斜視図である。
【図２６】パネルインターロック構造を操作するためのさらに他の例示的方法を示すための、図２のカートンの底部パネルの折込みを示す部分斜視図である。
【図２７】パネルインターロック構造を操作するためのさらに他の例示的方法を示すための、図２のカートンの底部パネルの折込みを示す部分斜視図である。
【図２８】パネルインターロック構造を操作するためのさらに他の例示的方法を示すための、図２のカートンの底部パネルの折込みを示す部分斜視図である。
【図２９】パネルインターロック構造を操作するためのさらに他の例示的方法を示すための、図２のカートンの底部パネルの折込みを示す部分斜視図である。
【図３０】パネルインターロック構造を操作するためのさらに他の例示的方法を示すための、図２のカートンの底部パネルの折込みを示す部分斜視図である。
【図３１】パネルインターロック構造を操作するためのさらに他の例示的方法を示すための、図２のカートンの底部パネルの折込みを示す部分斜視図である。
【発明を実施するための形態】
【００２０】
本明細書においては、必要に応じて本発明の詳細な実施形態が開示される。開示される実施形態は、様々な代替形態およびそれらの組合せで具体化することができる本発明の単なる例示的なものにすぎないことを理解されたい。本明細書において使用されているように、「例示的」という語は、実例、見本、モデルまたはパターンとして働く実施形態を意味するべく発展的に使用されている。図は、必ずしもスケール通りではなく、いくつかの特徴は、特定の構成要素の詳細を示すために誇張され、あるいは最小化されている場合がある。他の例では、本発明を明確にするために、知られている構成要素、システム、材料または方法については詳細に説明されていない。したがって本明細書において開示される特定の構造および機能の詳細は、本発明を制限するものとして解釈してはならず、単に特許請求のための基本として、また、本発明を様々に使用するべく当業者に教示するための典型的な基本として解釈されたい。
【００２１】
次に図面を参照すると、同様の数表示は、いくつかの図を通して同様の要素を表しており、これらの図面は、カートンの例示的実施形態の様々な態様のうちの特定の態様を示している。本明細書において詳細に説明される実施形態では、カートンという用語は、本発明の様々な特徴を例証するための非制限の目的で、透明なプラスチック瓶などの物品を収納し、運搬し、かつ、分配するための容器を意味している。しかしながら、本発明の教示は、テーパが施されていても、施されていなくてもよく、および／または円筒状であっても、円筒状でなくてもよい様々な容器に適用することができることが企図されている。他の例示的物品には、金属瓶またはガラス瓶、アルミニウム缶、ボーリングピン、蝋燭、等々がある。
【００２２】
本発明を制限するためにではなく、本発明の様々な態様を教示するために、パネルインターロック構造Ｌについて、複数の円筒状缶または瓶のための一例示的トップロードカートン型パッケージの文脈で説明する。個々のパネルインターロック構造Ｌ（図１６に最も良好に示されている）の雄固定タブＭおよび雌固定タブＦ（図２に最も良好に示されている）はブランク１０の中に画定され、前記ブランク１０は、多数のヒンジ接続パネルが画定される適切な基板の単一シートから構築されることができる。ブランク１０の内側表面は図１に示されている。
【００２３】
図１を参照すると、例示的ブランク１０は、カートン２０の周囲を画定することになる一連のパネルを含み、一連のパネルは、端フラップ１００、第１の側パネル１０２および第２の側パネル１０４、第１の端パネル１０６および第２の端パネル１０８を含む。これらの周囲パネルの上縁は、カートン２０の運搬コンパートメントの頂部縁１１０を画定している。これらの周囲パネルの下縁は、カートン２０の運搬コンパートメントの底部縁１１２を画定している。
【００２４】
端フラップ１００は、折込み線１１４に沿って第１の側パネル１０２にヒンジ接続され、第１の側パネル１０２は、折込み線１１６に沿って第１の端パネル１０６にヒンジ接続され、第１の端パネル１０６は、折込み線１１８に沿って第２の側パネル１０４にヒンジ接続され、第２の側パネル１０４は、折込み線１２０に沿って第２の端パネル１０８にヒンジ接続されている。
【００２５】
カートン２０（図３）は合成ハンドルパネルＨを含み、合成ハンドルパネルＨはブランク１０内に画定された多数の他のパネルから形成される。詳細には、ブランク１０は、指保持開口Ａを備えた中央パネル１２２、相補指保持開口Ａを備えたハンドル補強パネル１２４、および同じく１つまたは複数の指保持開口Ａを含むことができるディバイダパネル１２６を含む。中央パネル１２２は、折込み線１２８に沿ってハンドル補強パネル１２４にヒンジ接続され、また、折込み線１３０に沿って端フラップ１００にヒンジ接続されている。中央パネル１２２は、折込み線１３２に沿って、その底部縁でディバイダパネル１２６にヒンジ接続されている。縁フラップ１３４は、折込み線１３６に沿って中央パネル１２２にヒンジ接続されており、以下でより詳細に説明するように、カートン２０を組み立てる際に、この縁フラップ１３４を使用して中央パネル１２２が端パネル１０６に固着される。
【００２６】
多数のディバイダ条片が中央パネル１２２およびディバイダパネル１２６にヒンジ接続され、かつ、少なくとも部分的にこれらの中央パネル１２２およびディバイダパネル１２６から打ち出される。詳細には、第１のディバイダ条片１３８および第２のディバイダ条片１４０は、対応する個々の折込み線１３９および１４１に沿って中央パネル１２２にヒンジ接続されており、個々のディバイダ条片１３８および１４０は、互いに等しく間隔を隔てており、また、中央パネル１２２の側縁を画定している折込み線１３６および１３０から等しく間隔を隔てている。第１のディバイダ条片１３８は、折込み線１３９から第２のディバイダ条片１４０に向かって延在し、かつ、第２のディバイダ条片１４０を中央パネル１２２に接続している折込み線１４１を横切って延在しており、それによりその遠位縁にタブＴを画定している。第２のディバイダ条片１４０は、折込み線１４１から端フラップ１００に向かって延在し、かつ、折込み線１３０を横切ることによって端フラップ１００上に延在しており、それによりその遠位縁にタブＴを画定している。また、ブランク１０は第３のディバイダ条片１４２及び第４のディバイダ条片１４４を含み、当該第３のディバイダ条片１４２は、折込み線１４３に沿ってディバイダパネル１２６にヒンジ接続されており、前記第４のディバイダ条片１４４は、折込み線１４５に沿ってディバイダパネル１２６にヒンジ接続されている。タブＴは、第３のディバイダ条片１４２の遠位縁に画定されている。第４のディバイダ条片１４４は、折込み線１４５から第３のディバイダ条片１４２に向かって延在し、かつ、第３のディバイダ条片１４２をディバイダパネル１２６に接続するための折込み線１４３を横切って延在し、それによりタブＴを画定している。
【００２７】
ブランク１０は、カートン２０の底部縁１１２に沿って延在している折込み線１５０および１５２に沿ってヒンジ接続されている対応する個々の第１の底部パネル１４６および第２の底部パネル１４８を含む。第１の底部パネル１４６および第２の底部パネル１４８は、本発明による２つのパネルインターロック構造Ｌを使用して重畳方式で互いに固着されるように構成されている。２つのパネルインターロック構造Ｌの雌固定タブＦは、自由縁１５４の近傍の第１の底部パネル１４６内に形成されており、また、２つのパネルインターロック構造Ｌの相補雄固定タブＭは、自由縁１５６の近傍の第２の底部パネル１４８内に形成されている。例えばカートン２０が形成される基板の特性、運ばれる物品の特性、およびカートン２０の構造設計に応じて、場合によっては任意の数のパネルインターロック構造Ｌが望ましいことは当業者には容易に理解されよう。図３に示されているカートン２０は、２×３構成の缶または瓶などの物品を運ぶように設計されており、また、パネルインターロック構造Ｌは、底部パネル１４６、１４８を単独で、あるいは接着剤と組み合わせて互いに固着することができ、したがってパネルインターロック構造Ｌの数および配置は、それに応じて選択される設計選択である。以下でより詳細に説明するように、パネルインターロック構造Ｌの配置は、カートン２０内における物品およびディバイダ条片の配置と協働するように選択することができ、それによりパネルインターロック構造Ｌの故障を防止することができる。
【００２８】
次に図２を参照して、パネルインターロック構造Ｌの固定タブＦ、Ｍについてより詳細に説明する。より詳細には、雄固定タブＭは、第２の底部パネル１４８の仮想平面から変位すると、第２の底部パネル１４８内に相補開口を画定する。雄固定タブＭは、ネック部分２０２、肩部分２０４および舌２０６を含むようにセグメント化されているが、これらのセグメントのうちの特定のセグメントは、実質的に互いに連続しており、また、特定の他のセグメントは、折込み線に沿ってヒンジ接続されているか、あるいは全く別の折込み線によって結合されることなく、単純に互いに対して折り込むことができる。図に示されている実施形態では、ネック部分２０２は、第２の底部パネル１４８と連続している部分的に分離された部分であり、また、折込み線２０８に沿って中心に位置し、かつ、折込み線２０８を横切って肩部分２０４の上へ延在している実質的に半円形の第１の弓形分離線（すなわち切断線）２１０によって中断されている折込み線２０８に沿って肩部分２０４にヒンジ接続されている。本発明のいくつかの実施形態では、肩部分２０４が第２の底部パネル１４８に直接接続されるか、あるいはそれらの間に折込み線を有するよう、ネック部分２０２を省略することができる。肩部分２０４はネック部分２０２より実質的に広く、その側縁の輪郭を画定している凸状に丸くなった「翼」を有している。舌２０６は雄固定タブＭの遠位端を画定しており、肩部分２０４より実質的に狭いが、ネック部分２０２の幅とほぼ同じ幅を有することができる。したがって肩部分２０４の幅Ｗ１は、ネック部分２０２の幅Ｗ２および舌２０６の幅Ｗ３より広い。ネック部分２０２の幅Ｗ２は舌２０６の幅Ｗ３と実質的に等価であることができる。舌２０６は、雄固定タブＭの遠位端縁２１４に沿って形成された実質的に半円形の第２の凸状保持タブ２１２を含む。
【００２９】
雌固定タブＦは、第１の底部パネル１４６内に相補開口を画定する。雌固定タブＦも、ネック部分２２０、湾曲した側縁を有する肩部分２２２およびブレーシング部分２２４を含むようにセグメント化されているが、これらのセグメントのうちの特定のセグメントは、実質的に互いに連続しており、また、特定の他のセグメントは、折込み線に沿ってヒンジ接続されているか、あるいは全く別に画定された折込み線および／または予め刻み目が付けられた折込み線によって結合されることなく、単純に互いに対して折り込むことができる。図に示されている実施形態では、ネック部分２２０は、折込み線２２６に沿って第１の底部パネル１４６にヒンジ接続され、また、折込み線２２８に沿って肩部分２２２にヒンジ接続されている。折込み線２２８は、該折込み線２２８に沿って中心に位置し、かつ、肩部分２２２の上へ延在している実質的に半円形の凸状保持タブ２３０によって中断されている。肩部分２２２は、雌固定タブＦの遠位端縁を画定しているブレーシング部分２２４と連続している。ブレーシング部分２２４は、雌固定タブＦの遠位端縁２３６に沿った、実質的に半円形の凹状切欠き部分２３１を含み、この凹状切欠き部分２３１は、対応する実質的に半円形の凸状保持タブ２３２を第１の底部パネル１４６内に画定している。ブレーシング部分２２４および肩部分２２２は、集合的に「ヘッド部分」と呼ばれることがある。
【００３０】
ブレーシング部分２２４は雌固定タブＦの遠位端を画定しており、肩部分２２２より実質的に狭いが、ネック部分２２０の幅とほぼ同じ幅を有することができる。したがって肩部分２２２の幅Ｗ４は、ネック部分２２０の幅Ｗ５およびブレーシング部分２２４の幅Ｗ６より広い。ネック部分２２０の幅Ｗ５はブレーシング部分２２４の幅Ｗ６と実質的に等価であることができる。ブレーシング部分２２４は、雌固定タブＦの遠位端縁２３６に沿って形成された実質的に半円形の第２の凹状切欠き部分２３１を含む。
【００３１】
凸状保持タブ２１０、２１２、２３２および凹状切欠き部分２３１は実質的に半円形であるが、代替形状を同じように機能させることができることは当業者には認識されよう。同様に、肩部分２０４、２２２の湾曲した翼様側面は、本発明の教示に矛盾しない代替輪郭を有することができる。
【００３２】
ブランク１０を折り込んでカートン２０を組み立てるための一例示的方法は以下の通りであるが、図に示され、かつ、説明されている折込み操作は、教示のために誇張されていることがある。ディバイダパネル１２６の内側表面が中央パネル１２２の内側表面に面接触関係で折り込まれ、適切な接着剤を使用して該ディバイダパネル１２６の内側表面をその構造内に固着することができる。ハンドル補強パネル１２４が折込み線１２８に沿って折り込まれ、その内側表面が面接触関係でディバイダパネル１２６の外側表面および中央パネル１２２の内側表面の依然として露出している部分に置かれる。中央パネル１２２およびハンドル補強パネル１２４は、適切な接着剤を使用して所定の位置に固着することができる。いずれの場合においても、ディバイダ条片１３８、１４０、１４２、１４４の表面への接着剤の塗布は、それらを展開させることができるようにするためには回避されることが好ましい。中央パネル１２２をハンドル補強パネル１２４に固着し、ディバイダパネル１２６をそれらの間に部分的に配置することにより、合成ハンドルパネルＨが形成される。これらのパネルの各々に穿たれている指保持開口Ａが実質的に整列して配置され、それによりカートン２０の持ち運びを容易にするための２つの開口がハンドルパネルＨ内に形成される。ハンドルパネルＨには単一の開口のみを存在させることができ、あるいは３つ以上の開口を存在させることも可能であることは当業者には容易に理解されよう。別法としては、それらに限定されないが、外部ストラップ、Ｔ字バー、フォールドオーバ部分、等々を含む他の運搬手段を使用することも可能である。
【００３３】
カートン２０を組み立てるための例示的方法を継続すると、ハンドルパネルが形成されると、カートン２０の外部周囲Ｐ（図１６）が構築される。端フラップ１００、第１の側パネル１０２、第１の端パネル１０６、第２の側パネル１０４および第２の端パネル１０８が互いに実質的に直角になり、かつ、第２の端パネル１０８の内側表面の一部が端フラップ１００の外側表面と面接触関係になるよう、ブランク１０が折込み線１１４、１１６、１１８、１２０に沿って図１の平面外に折り込まれる。この方法によれば、第１の側パネル１０２、第１の端パネル１０６、第２の側パネル１０４および第２の端パネル１０８がカートン２０の外部周囲、頂部縁１１０および底部縁１１２を画定し、端フラップ１００を第２の端パネル１０８の内側表面に貼り付けることによって外部周囲Ｐが固着される。合成ハンドルパネルＨは端フラップ１００にヒンジ接続されており、この時点ではカートン２０の外部周囲Ｐの内側に配置されている。合成ハンドルパネルＨの自由側縁が縁フラップ１３４を使用して第１の端パネル１０６の中央の近傍に固着される。したがって合成ハンドルパネルＨは、カートン２０の内部を二分して第１の端パネル１０６の中央と第２の端パネル１０８それぞれの中央の間に延在し、かつ、第１の側パネル１０２および第２の側パネル１０４から間隔を隔てている。本発明のパネルインターロック構造Ｌを使用して第１の底部パネル１４６を第２の底部パネル１４８に固着する前あるいは後のいずれかで、ディバイダ条片１３８、１４０は、第２の側パネル１０４に向かって折り込まれ、かつ、それらの遠位端のタブＴを使用して固着され、また、ディバイダ条片１４２、１４４は、第１の側パネル１０２に向かって折り込まれ、かつ、それらの遠位端のタブＴを使用して固着される。第１の側パネル１０２および第２の側パネル１０４ならびにディバイダ条片１３８、１４０、１４２、１４４を固着する前に、貯蔵のため、あるいは例えば最終組立ておよび物品の積み込みのための他の設備への出荷のためにカートン２０を平らにすることができる。
【００３４】
最後に、図１６に示されているように、第１の底部パネル１４６を重畳構造で第２の底部パネル１４８に固着することによってカートン２０の底部が形成される。第１の底部パネル１４６が折込み線１５０に沿って第１の側パネル１０２に対して直角に上に向かって折り込まれ、また、第２の底部パネル１４８が折込み線１５２に沿って第２の側パネル１０４に対して直角に上に向かって折り込まれ、それにより図４に示されているようにそれらが実質的に同じ水平平面にもたらされ、それらの個々の自由縁１５４、１５６が互いに近接する。
【００３５】
第１の底部パネル１４６と第２の底部パネル１４８との重畳構造は、図４〜１５の一連の部分斜視図および側面図に示されているように、本発明のパネルインターロック構造Ｌを使用して固着される。教示を分かり易くするために、この一連の図の各々は、カートン２０の底部パネルを固着するパネルインターロック構造Ｌのうちの１つの構成要素の係合の様々な段階を示しており、第１の底部パネル１４６および第２の底部パネル１４８の相対位置またはそれらの個々の構成要素の相対位置は、場合によっては誇張されている。図４、５、８、９、１１および１３は、カートン２０の内側の仮想の有利なポイントから見た部分斜視図であり、図１５は、カートン２０の外側の仮想の有利なポイントから見た部分斜視図であり、また、図６、７、１０、１２および１４は部分側面図である。
【００３６】
次に図４を参照すると、雄固定タブＭおよび雌固定タブＦは、最初は第１の底部パネル１４６および第２の底部パネル１４８と共面である。次に、雄固定タブＭを受け取るための第１の開口Ｏが示されている図５に示されているように、雌固定タブＦが該雌固定タブＦの近位端縁に位置している折込み線２２６に沿って外側に折り込まれる。第１の開口Ｏは、折込み線２２６から外部端２３８まで延在している。第１の底部パネル１４６の高さは、図６に示されているように第２の底部パネル１４８の高さより若干高くなっており、また、図７および８に示されているように、第２の底部パネル１４８の自由縁１５６が雌固定タブＦの基部（および近位端縁の近傍）でネック部分２２０と当接接触し、かつ、折込み線２２６と実質的に整列する。雄固定タブＭおよび第２の底部パネル１４８の一部（雄固定タブＭと自由縁１５６との間に延在している部分）は、依然として第１の底部パネル１４６の外側表面に対して共面であり、かつ、面接触関係にあり、また、折込み線２０８は、第１の底部パネル１４６の自由縁１５４の近傍の第１の開口Ｏの外部端２３８と実質的に整列しているため、図８では開口Ｏを通してこれらの雄固定タブＭおよび第２の底部パネル１４８の一部を見ることができる。図９および１０を参照すると、雄固定タブＭの肩部分２０４が折込み線２０８に沿って内側に折り込まれ、第１の開口Ｏを通して肩部分２０４および舌２０６がもたらされる。第１の開口Ｏの外部端２３８は肩部分２０４より狭く、したがって肩部分２０４の凸状に湾曲した翼様側縁は、第１の開口Ｏの縁に食い込んでいる。雄固定タブＭの肩部分２０４が第２の底部パネル１４８の平面外に折り込まれると、第１の底部パネル１４６内の半円形の凸状保持タブ２３２が上に位置し、かつ、弓形分離線２１０と実質的に整列している間、第２の開口（図９に、第１の開口Ｏと実質的に垂直方向に整列して示されている）が第２の底部パネル１４８内に出現する。半円形の凸状保持タブ２３２および弓形分離線２１０によって画定された突起は、雄固定タブＭが開口Ｏを通して上に向かって折り込まれると、該雄固定タブＭ内に画定される空洞２４０と係合する。
【００３７】
次に図１２を参照すると、雌固定タブＦが折込み線２２６に沿って第２の底部パネル１４８の自由縁１５６の下方へ折り込まれる。この手段により、第２の底部パネル１４８の一部が第１の開口Ｏと雌固定タブＦのネック部分２２０との間に位置するよう、雌固定タブＦのネック部分２２０が第２の底部パネル１４８の上記目視可能「部分」の下部表面すなわち外部表面と面接触関係になる。次に、図１３および１４に示されているように、雌固定タブＦのヘッド部分２２２、２２４が第２の底部パネル１４８内の第２の開口の外部端２１４の周りの折込み線２２８に沿って上に向かって折り込まれる。この手段により、雄固定タブおよび雌固定タブＭ、Ｆの個々の遠位端縁２１４、２３６が第１の底部パネル１４６の上部表面すなわち内側表面に配置されるよう、雌固定タブＦのヘッド部分２２２、２２４が第１の開口および第２の開口の両方に挿入され、それによりこれらの両方の開口の中に受け取られる。この状態は、折込み位置に位置している雄固定タブＭが示され、また、保持位置に位置している雌固定タブＦが示されている図１３および１４に最も良好に示されている。雄固定タブおよび雌固定タブＭ、Ｆがそれぞれ位置に折り込まれ、その位置で保持されると、雄固定タブおよび雌固定タブＭ、Ｆは、それらの相互ブレーシング位置に位置し、その位置では、それらは互いに、雄固定タブおよび雌固定タブＭ、Ｆがそれぞれ第２の底部パネルおよび第１の底部パネル１４８、１４６の個々の平面に位置するそれらの個々の元の位置へ折り返されるのを防止する。相互ブレーシング位置では、雌固定タブＦのヘッド部分２２２、２２４は、雄固定タブＭが雌固定タブＦの遠位端縁２３６にもたれ掛かるよう、雄固定タブＭに寄りかかって支えることができる。代替相互ブレーシング位置では、雄固定タブＭは、雌固定タブＦのヘッド部分２２２、２２４が雄固定タブＭの遠位端縁２１４にもたれ掛かるよう、雌固定タブＦのヘッド部分２２２、２２４に寄りかかって支えることができる。しかしながら、図１３および１４に示されている実施形態では、雄固定タブおよび雌固定タブＭ、Ｆはもう１つの代替ブレーシング係合関係にあり、雌固定タブＦの遠位端縁２３６の凹状切欠き部分２３１は、雄固定タブＭの遠位端縁２１４から突出している凸状固定タブ２１２と係合する。図１５は、カートン２０の下方の仮想の有利なポイントから見た図であり、このように係合した雄固定タブＭおよび雌固定タブＦを示している。この状態では、パネルインターロック構造Ｌは完全に係合している。
【００３８】
雌固定タブＦは、図９および１０に示されている９０度位置に折り込む必要はないことに留意されたい。図１７は一代替方法を示したものであり、雌固定タブＦは、第２の底部パネル１４８の自由縁１５６を雌固定タブＦの上および第１の底部パネル１４６の自由縁１５４の下にスライドさせて雄固定タブＭを開口Ｏに位置合わせするだけの十分な角度だけ、第１の底部パネル１４６の平面外へ押し出される。次に、単一の動作で、例えば自動パッケージング設備に対する単一の押抜きアクションなどによって、開口Ｏを介して雌固定タブＦおよび雄固定タブＭの両方を上方へ強制することができる。とりわけ図１９〜２１を参照すると、開口Ｏを介して雌固定タブＦを上方へ駆動する力を雌固定タブＦの下方に加える（矢印で示されている）ことによる打抜きアクションが示されており、この力によって雌固定タブＦが雄固定タブＭを押し付け、雄固定タブＭは雌固定タブＦに身を委ねて、図２０に示されているように上に向かって押し出される。雌固定タブＦが完全に展開すると、図２１に示されているように、雌固定タブＦの遠位端縁２３６の凹状切欠き部分２３１が上に向かってもたらされ、雄固定タブＭの遠位端縁２１４に沿って凸状固定タブ２１２と係合する。
【００３９】
他の例示的方法は、図２２〜３１の部分斜視図で示されている一連のステップとして例証されている。カートン２０に関連して上で説明した折込み操作を実施する場合、第１の底部パネル１４６および第２の底部パネル１４８は、最初は、図２２に示されているように、それぞれ第１の側パネル１０２および第２の側パネル１０４から下に向かって延在するように配置されることが考えられる（いずれの側パネルも図２２〜３１には示されていない）。図２３で、パンチまたは折込みホイールなどの自動パッケージング設備によって雌固定タブＦが第１の底部パネル１４６の平面外へ折り込まれ、それにより開口Ｏが画定される。次に、図２４で、第１の底部パネル１４６がカートン２０（図示せず）の内側に向かって上方へ折り込まれる。第１の底部パネル１４６が図２５に示されている実質的に水平位置へ移動するか、あるいは移動した後、第２の底部パネル１４８が図２６に示されているように上に向かって折り込まれ、図２７に示されているように面接触構造で第１の底部パネル１４６の下方に位置し、雄固定タブＭが開口Ｏに位置合わせされる。この方法は、ここからは図１９〜２１に示されているように進行し、雌固定タブＦが上に向かって折り込まれて雄固定タブＭの下方に位置する。図２８および図２９に戻り、雌固定タブＦの下方に力が加えられると、この力によって雄固定タブＭが開口Ｏを介して駆動され、それにより雄固定タブＭの舌２０６および肩部分２０４が開口Ｏを介してもたらされる。図２９および図３０で、雌固定タブＦが同じく開口Ｏを介して駆動されるまで、引き続いて雄固定タブＭが開口Ｏを介して上に向かって強制される。上で説明したように、雌固定タブＦおよび雄固定タブＭは、互いに支えあい、かつ、切欠き部分２３２および凸状保持タブ２１２に沿って互いに係合することができる。
【００４０】
以上、本発明について、すべての点において制限的な意味合いではなく、本発明を説明することを意図した特定の実施形態に関連して説明した。本発明は、本発明の範囲を逸脱することなく多くの修正および変更が可能であることは当業者には認識されよう。例えば本明細書において使用されているように、頂部、底、底部、端、側、内部、外部、上部、中央、下部、前方および後方などの方向の参照は、カートンの個々の壁をこのような配向に限定するものではなく、単にこれらの壁を互いに区別する働きをしているにすぎない。ヒンジ接続に対するすべての参照は、必ず単一のヒンジのみを含んだ接合を意味するものとして解釈してはならず、実際、ヒンジ接続は、ヒンジ接続材料のための１つまたは複数の潜在的に全く異なる手段から形成することができることが想定されている。
【００４１】
上で説明した実施形態は、本発明の原理を明確に理解するために示した実施態様の単なる例示的実例にすぎない。特許請求の範囲を逸脱することなく、上で説明した実施形態に修正、変更およびそれらの組合せを加えることができる。このようなすべての変更、修正およびそれらの組合せは、本開示の範囲および以下の特許請求の範囲によって本明細書に含まれている。
【符号の説明】
【００４２】
１０  ブランク
２０  カートン
１００  端フラップ
１０２  第１の側パネル
１０４  第２の側パネル
１０６  第１の端パネル
１０８  第２の端パネル
１１０  カートンの運搬コンパートメントの頂部縁
１１２  カートンの運搬コンパートメントの底部縁
１１４、１１６、１１８、１２０、１２８、１３０、１３２、１３６、１３９、１４１、１４３、１４５、１５０、１５２、２０８、２２６、２２８  折込み線
１２２  中央パネル
１２４  ハンドル補強パネル
１２６  ディバイダパネル
１３４  縁フラップ
１３８  第１のディバイダ条片
１４０  第２のディバイダ条片
１４２  第３のディバイダ条片
１４４  第４のディバイダ条片
１４６  第１の底部パネル
１４８  第２の底部パネル
１５４、１５６  自由縁
２０２  雄固定タブのネック部分
２０４  雄固定タブの肩部分
２０６  雄固定タブの舌
２１０  第１の弓形分離線（凸状保持タブ）
２１２  第２の凸状保持タブ
２１４  雄固定タブの遠位端縁
２２０  雌固定タブのネック部分
２２２  雌固定タブの肩部分
２２４  雌固定タブのブレーシング部分
２３０、２３２  凸状保持タブ
２３１  凹状切欠き部分
２３６  雌固定タブの遠位端縁
２３８  第１の開口Ｏの外部端
２４０  雄固定タブ内に画定される空洞
【図１】
2014514219.tif 000003
【図２】
2014514219.tif 000004
【図３】
2014514219.tif 000005
【図４】
2014514219.tif 000006
【図５】
2014514219.tif 000007
【図６】
2014514219.tif 000008
【図７】
2014514219.tif 000009
【図８】
2014514219.tif 000010
【図９】
2014514219.tif 000011
【図１０】
2014514219.tif 000012
【図１１】
2014514219.tif 000013
【図１２】
2014514219.tif 000014
【図１３】
2014514219.tif 000015
【図１４】
2014514219.tif 000016
【図１５】
2014514219.tif 000017
【図１６】
2014514219.tif 000018
【図１７】
2014514219.tif 000019
【図１８】
2014514219.tif 000020
【図１９】
2014514219.tif 000021
【図２０】
2014514219.tif 000022
【図２１】
2014514219.tif 000023
【図２２】
2014514219.tif 000024
【図２３】
2014514219.tif 000025
【図２４】
2014514219.tif 000026
【図２５】
2014514219.tif 000027
【図２６】
2014514219.tif 000028
【図２７】
2014514219.tif 000029
【図２８】
2014514219.tif 000030
【図２９】
2014514219.tif 000031
【図３０】
2014514219.tif 000032
【図３１】
2014514219.tif 000033
【国際調査報告】
2014514219.tif 000034
2014514219.tif 000035